(57)【特許請求の範囲】
【請求項１】
排水口が形成された洗面ボウルを有する洗面化粧台であって、
前記排水口の周囲には当該排水口に向けて傾斜する傾斜面が形成されており、
前記洗面ボウルに対して玉鎖で繋がれ、外周に環状のシール部を有し、このシール部の端部の全周が前記傾斜面に当接することによって前記排水口を止水する排水栓と、
前記排水口を止水するために前記排水栓を前記排水口に取り付ける際に、前記排水栓の位置がずれていても、前記排水栓を前記シール部の前記端部の全周が前記傾斜面に当接する所定の位置に案内することにより前記排水栓の位置を規制する規制手段と、
前記排水口に着脱自在に取り付けられて異物を捕集するヘアキャッチャと、を備え、
前記規制手段は、前記ヘアキャッチャによって前記排水栓の位置を規制し、
前記ヘアキャッチャは、上方に突出する摘み部を有し、
前記排水栓には、前記ヘアキャッチャの摘み部を挿入可能な下方に向かって開口する係合穴が形成されており、
前記規制手段は、前記ヘアキャッチャの摘み部と、前記排水栓に形成された係合穴とにより構成されている、ことを特徴とする洗面化粧台。
【請求項２】
前記摘み部は、上方から下方に向かって幅が広くなるような形状である、請求項１記載の洗面化粧台。
【請求項３】
前記排水栓の下方に向かって開口する係合穴は、上方から下方に向かって幅が広くなるような形状である、請求項１又は２に記載の洗面化粧台。
【発明の詳細な説明】
【技術分野】
【０００１】
本発明は洗面化粧台に関し、特に、排水口が形成された洗面ボウルを有する洗面化粧台に関する。
【背景技術】
【０００２】
従来より、洗面化粧台の洗面ボウルは、水を貯めて使用できるように排水栓により排水口を止水できるようになっている。このような洗面化粧台として、排水栓を手に持って排水口に挿入する構造を有する洗面化粧台が広く用いられていた（例えば、特許文献１参照）。このような洗面化粧台は、単純な構成であるため、製造コストを削減できるという利点がある。
【０００３】
また、近年、洗面ボウルの排水口に設けられた上下動可能な排水栓を、洗面ボウルの周囲に設けられた遠隔操作装置により遠隔操作する構造を有する洗面化粧台も広く用いられてきている（例えば、特許文献２参照）。このような洗面化粧台によれば、洗面ボウル内に手を入れることなく排水栓を開閉できるため、手を汚すことなく操作できるという利点がある。
【０００４】
ところで、近年、本件出願人らは、洗顔、歯磨き、手洗い、洗濯といった作業を行う際に、髪の毛やゴミ、糸くずが排水口周りにたまりやすいため、従来の洗面ボウルでは設けられていた排水口の周りに凸Ｒ状の傾斜を設け、排水口周りのフランジなどの金属部材を無くした洗面化粧台を提案している（例えば、特許文献３参照）。このような排水口の周りに凸Ｒ状の傾斜を設けた洗面化粧台においても、排水口に排水栓を挿入する構造や、上下動可能な排水栓を排水口に設けることが考えられる。
【先行技術文献】
【特許文献】
【０００５】
【特許文献１】登録実用新案第３０５００１１号公報
【特許文献２】特開２０１０−３７９２３号公報
【特許文献３】特開２０１０−３７７７４号公報
【発明の概要】
【発明が解決しようとする課題】
【０００６】
ここで、排水口には、髪の毛やゴミ、糸くずなどの異物を捕集するためにヘアキャッチャを設ける必要がある。本件出願人らは、補集した髪の毛やゴミ、糸くずを容易に廃棄できるように、ヘアキャッチャを排水口の最上部に設けた洗面化粧台を提案している。
【０００７】
しかしながら、このようにヘアキャッチャを排水口の最上部に設けてしまうと、ヘアキャッチャと干渉してしまうため、排水口に排水栓を挿入する構造は採用することができない。一方、上下動可能な排水栓を排水口に設ける構造は部品数が多大となるため、高額になってしまう。そこで、排水栓を手に持って排水口の上方に置いて止水することが考えられるが、排水口の周りに凸Ｒ状の傾斜が設けられているため、排水栓の位置が少しでもずれてしまうと排水栓が傾いて止水不良となってしまい水を無駄に排水してしまうという問題がある。
【０００８】
本発明は、上述した問題を解決するためになされたものであり、周囲に傾斜面を有する排水口を確実に止水することができる洗面化粧台を安価で提供することである。
【課題を解決するための手段】
【０００９】
上記の目標を達成するために、本発明は、排水口が形成された洗面ボウルを有する洗面化粧台であって、排水口の周囲には当該排水口に向けて傾斜する傾斜面が形成されており、洗面ボウルに対して玉鎖で繋がれ、外周に環状のシール部を有し、このシール部の端部の全周が傾斜面に当接することによって排水口を止水する排水栓と、排水口を止水するために前記排水栓を前記排水口に取り付ける際に、前記排水栓の位置がずれていても、前記排水栓をシール部の端部の全周が傾斜面に当接する所定の位置に案内することにより排水栓の位置を規制する規制手段と、前記排水口に着脱自在に取り付けられて異物を捕集するヘアキャッチャと、を備え、前記規制手段は、前記ヘアキャッチャによって前記排水栓の位置を規制し、前記ヘアキャッチャは、上方に突出する摘み部を有し、前記排水栓には、前記ヘアキャッチャの摘み部を挿入可能な下方に向かって開口する係合穴が形成されており、前記規制手段は、前記ヘアキャッチャの摘み部と、前記排水栓に形成された係合穴とにより構成されている、ことを特徴とする。
【００１０】
このように構成された本発明によれば、排水口を止水するために排水栓を排水口に取り付ける際に、排水栓の位置がずれていても、排水栓をシール部の端部の全周が傾斜面に当接する所定の位置に案内することにより排水栓の位置を規制する規制手段により、排水栓のシール部の端部の全周が排水口の周囲に形成された洗面ボウルの傾斜面に当接するように排水栓の位置が規制される。これにより、シール部を確実に洗面ボウルと密着させることができ、確実に排水口を止水することができる。また、排水口の周囲が傾斜面となっているため、排水口周りに汚れが付着しにくく、掃除も容易に行うことができる。さらに、排水栓を上下動させる機構が不要であるため、製造コストを削減できる。また、通常、ヘアキャッチャには摘み部が設けられているため、排水栓の下面に係合穴を有する突出部を設けるのみでよいため、簡単な構成で排水栓を所定の位置に配置することができる。また、ヘアキャッチャの摘み部を目安として排水栓を装着できるため、容易に排水栓を装着できる。
【００１３】
本発明において、好ましくは、摘み部は、上方から下方に向かって幅が広くなるような形状である。
このように構成された本発明によれば、初めに排水栓を配置した際に、排水栓の位置が多少ずれていても、摘み部の側面に案内され、排水栓を所定の位置に配置できる。
【００１４】
本発明において、好ましくは、排水栓の下方に向かって開口する係合穴は、上方から下方に向かって幅が広くなるような形状である。
このように構成された本発明によれば、初めに排水栓を配置した際に、排水栓の位置が多少ずれていても、係合穴の内周面に案内され、排水栓が所定の位置に案内される。
【発明の効果】
【００１６】
本発明によれば、周囲に傾斜面を有する排水口であっても確実に止水することができる洗面化粧台が安価で提供される。
【図面の簡単な説明】
【００１７】
【図１】本発明の第１実施形態による洗面化粧台を含む洗面化粧台ユニットを示す斜視図である。
【図２】本発明の第１実施形態による洗面化粧台の上方斜視図である。
【図３】図２に示す洗面化粧台の排水口近傍の上面斜視図である。
【図４】図２に示す洗面化粧台の排水口近傍の拡大斜視図である。
【図５】本発明の第１実施形態による洗面化粧台で用いられるヘアキャッチャを示し、（Ａ）は平面図、（Ｂ）は（Ａ）におけるＡ−Ａ断面図、（Ｃ）は底面図、（Ｄ）は斜視図である。
【図６】本発明の第１実施形態による洗面化粧台で用いられる排水栓を示し、（Ａ）は上方斜視図、（Ｂ）は立面図、（Ｃ）は下方斜視図である。
【図７】本発明の第１実施形態による洗面化粧台において、排水栓を排水口に取り付けて止水する方法を説明するための図である。
【図８】、本発明の第２実施形態で用いられる排水栓を示し、（Ａ）は上方斜視図、（Ｂ）は立面図、（Ｃ）は下方斜視図、（Ｄ）は中心を通る鉛直断面図である。
【図９】本発明の第２実施形態による洗面化粧台において、排水栓を排水口に取り付けて止水する方法を説明するための図である。
【発明を実施するための形態】
【００１８】
以下、図面を参照して、本発明の第１実施形態による洗面化粧台について説明する。
図１は、本発明の第１実施形態による洗面化粧台を含む洗面化粧台ユニットを示す斜視図である。同図に示すように、洗面化粧台ユニット１は、洗面化粧台２と、洗面化粧台２の上方に配置されたミラーキャビネット４とが一体となっている。
【００１９】
図２は、本発明の第１実施形態による洗面化粧台２の上方斜視図であり、図３は図２に示す洗面化粧台２の排水口６近傍の上面斜視図であり、図４は図３に示す排水口６の拡大斜視図である。
図２に示すように、洗面化粧台２は、例えば、樹脂による一体成型で作成された部材であり、長方形状の洗面ボウル８が形成され、洗面ボウル８の一方の角隅部の底面には排水管に接続された排水口６が形成されている。この排水口６を後に詳述する排水栓により閉止することにより、洗面ボウル８内に水を溜めることができる。
【００２０】
図３及び図４に示すように、洗面ボウル８の排水口６の周囲には、すり鉢状に形成された傾斜面１０が設けられており、洗面ボウル８の排水口６の傾斜面１０が形成された部分は水平断面が円形状となっている。なお、洗面ボウル８の排水口６の周囲には、汚れの付着を防止するために、フランジなどの金属部材が取り付けられていない。
【００２１】
排水口６の入口（最上部）にはヘアキャッチャ１２が取り付けられている。このようにヘアキャッチャ１２が排水口６の入口に設けられているため、ヘアキャッチャ１２により補集された髪の毛や、ゴミ、糸くずなどの異物を廃棄する際に、容易にヘアキャッチャ１２を取り外すことができる。また、ヘアキャッチャ１２が排水口６の入口に設けられているため、髪の毛を含んだ排水が洗面ボウル８からヘアキャッチャ１２に流れ込む際に、排水口６の周囲に設けられた傾斜面１０で渦を巻くようにしてヘアキャッチャ１２に到達する。そのため、ヘアキャッチャ１２の表面で髪の毛を捕集することができ、髪の毛がヘアキャッチャ１２にからみにくく、ヘアキャッチャ１２の清掃を楽に行うことができる。
なお、本実施形態では、洗面ボウル８は樹脂製としているが、これに限らず、陶器などのその他の材料で作成することもできる。
【００２２】
図５は、図４に示す排水口６に取り付けられたヘアキャッチャ１２を示し、（Ａ）は平面図、（Ｂ）は（Ａ）におけるＡ−Ａ断面図、（Ｃ）は底面図、（Ｄ）は斜視図である。同図に示すように、ヘアキャッチャ１２は、例えば、樹脂により一体成型された部材からなり、円筒状の周壁部１２Ａと、周壁部１２Ａの上縁の外周に形成されたフランジ部１２Ｂと、周壁部１２Ａの下縁に端部が接続された放射状に延びるリブ１２Ｃと、周壁部１２Ａと同心に配置され、リブ１２Ｃの中央に接続された周方向部１２Ｄと、リブ１２Ｃにより周壁部１２Ａの中心に支持され、上方に向かって突出する摘み部１２Ｅと、リブ１２Ｃにより周壁部１２Ａの中心に支持され、下方に向かって下方突起部１２Ｆと、を有する。ヘアキャッチャ１２は、フランジ部１２Ｂが、洗面ボウル２の排水口６の周囲の縁に係合することにより排水口６に取り付けられている。
【００２３】
リブ１２Ｃ、周方向部１２Ｄ、周壁部１２Ａで囲まれた部分には、開口１２Ｇが形成され、この開口１２Ｇを洗面ボウル２内の排水が下方に向かって通過する。この際、リブ１２Ｃや周方向部１２Ｄにより、排水内の髪の毛や、ゴミ、糸くずなどの異物を捕集することができる。
【００２４】
摘み部１２Ｅは、上方に向かって幅が狭くなるように両側面が傾斜しており、上部は円弧状に形成されている。ヘアキャッチャ１２により補集された髪の毛や、ゴミ、糸くずなどを廃棄するために排水口からヘアキャッチャ１２を取り外す際には、この摘み部１２Ｅを把持することにより、容易にヘアキャッチャ１２を取り外すことができる。
【００２５】
図６は、本実施形態による洗面化粧台で用いられる排水栓１４を示し、（Ａ）は上方斜視図、（Ｂ）は立面図、（Ｃ）は下方斜視図である。同図に示すように、排水栓１４は、周囲にシール部１４Ａを有する円板状の栓体１４Ｂと、栓体１４Ｂの上面に形成された玉鎖を連結するための玉鎖連結部１４Ｃと、栓体１４Ｂの下面に形成された複数の脚部１４Ｄと、を有する。
【００２６】
脚部１４Ｄは、栓体１４Ｂの下面に、栓体１４Ｂと同心の円周上に周方向に間隔をあけて形成され、栓体１４Ｂの下方に向けて突出している。この脚部１４Ｄの設けられた円周の直径は、後述するように、排水栓１４を排水口に取り付ける際に、脚部１４Ｄの外周面とヘアキャッチャ１２の周壁部１２Ａの内周面とが当接するように（すなわち、対向する脚部１４Ｄの外側面の幅と、ヘアキャッチャ１２の周壁部１２Ａの内周面の直径とが略一致するように）決められている。
【００２７】
本実施形態では、排水栓１４の下面に形成された脚部１４Ｄ及びヘアキャッチャ１２の周壁部１２Ａが、排水栓１２を排水口６に装着する際に、排水栓１２の位置を規制する規制手段として機能する。
【００２８】
次に、本実施形態の洗面化粧台において、排水栓を排水口に取り付けて止水する方法を説明する。図７は、本発明の第１実施形態による洗面化粧台において、排水栓を排水口に取り付けて排水口を止水する方法を説明するための図である。
まず、図７（Ａ）に示すように、排水栓１４を手に持って、何れかの脚部１４Ｄの外側の面がヘアキャッチャ１２の周壁部１２Ａの内周面に当接するように配置する。次に、排水栓１４の脚部１４Ｄと、ヘアキャッチャ１２の周壁部１２Ａとが当接した状態を保ちながら、他の排水栓１４の脚部１４Ｄがヘアキャッチャ１２の周壁部１２Ａ内に収容されるように、排水栓１４の位置を調整する。そして、排水栓１４の全ての脚部１４Ｄがヘアキャッチャ１２の周壁部１２Ａ内に収容された状態で、図８（Ｂ）に示すように、排水栓１４を栓体１４Ｂの周囲に取り付けられたシール部１４Ａが、洗面ボウル８の傾斜面１０と当接するまで下方に向かって押し込む。このように排水栓１４の脚部１４Ｄと、排水口６に取り付けられたヘアキャッチャ１２の周壁部１２Ａとが当接することにより、排水栓１４が排水口６に対して所定の位置に規制され、排水栓１４のシール部１４Ａを確実に所定の位置に配置することができる。このため、シール部１４Ａの全周が洗面ボウル８の傾斜面１０と密着し、確実に排水口６を止水することができる。
【００２９】
以上説明したように、本実施形態によれば、排水栓１４の脚部１４Ｄと、排水口６に取り付けられたヘアキャッチャ１２の周壁部１２Ａとが当接することにより、排水栓１４が排水口６に対して所定の位置に案内される。これにより、排水栓２４が傾くことなく、排水栓１４のシール部１４Ａを確実に洗面ボウル８の傾斜面１０と密着させることができ、確実に排水口６を止水することができる。
【００３０】
また、排水栓１４を所定の位置に配置するためには、排水栓１４に脚部１４Ｄを設けるのみでよいため、簡単な構成で排水栓１４を所定の位置に配置することができ、製造コストを抑えることができる。
【００３１】
また、ヘアキャッチャ１２の内壁面１２Ａを目安として排水栓１４を配置すればよく、容易に排水栓１４を装着できる。
【００３２】
また、排水口６の周囲が傾斜面１０となっているため、排水口６の周りに汚れが付着しにくく、掃除も容易に行うことができる。
【００３３】
また、本実施形態では、排水栓１４を配置することにより排水口６を止水しており、従来の排水栓を上下動させるような構造に比べて複雑な機構を必要としないため、製造コストを抑えることができる。
【００３４】
以下、本発明の第２実施形態による洗面化粧台について説明する。なお、本実施形態において、第１実施形態と同様の構成の要素については、図中同じ符号を用いて説明を省略する。なお、本実施形態では、排水栓のみ第１実施形態と異なるものを用いている。また、本実施形態に用いるヘアキャッチャ１２は、第１実施形態に比べて摘み部１２Ｅの長さが長く形成されている。
【００３５】
図８は、本発明の第２実施形態で用いられる排水栓を示し、（Ａ）は上方斜視図、（Ｂ）は立面図、（Ｃ）は下方斜視図、（Ｄ）は中心を通る鉛直断面図である。同図に示すように、本実施形態の排水栓２４は、円板状の栓体２４Ａと、栓体２４Ａの上面に形成された玉鎖連結部２４Ｂと、栓体２４Ａの下面に下方に向けて延びるように形成された円筒部２４Ｃと、円筒部２４Ｃの外周に取り付けられた円環状のシール部材２４Ｄと、円筒部２４Ｃの下面から下方に向けて延びる複数の脚部２４Ｅと、栓体２４Ａの下面の中央から下方に向かって突出し、下面中央に係合穴２４Ｆが形成された円筒状の突出部２４Ｇと、を有する。このうち、少なくともシール部材２４Ｄは、弾性変形可能な樹脂材料（例えば、エチレンプロピレンゴム（ＥＰＤＭ））によって形成されている。
【００３６】
円筒部２４Ｃには外周全周に亘って溝２４Ｈが形成されており、シール部材２４Ｄは内縁部がこの溝２４Ｈに嵌め込まれることにより、円筒部２４Ｃに取り付けられている。
突出部２４Ｇに形成された係合穴２４Ｆは、上方から下方に向かって幅が広がるような円錐台形状を呈しおり、下端部の直径がヘアキャッチャ１２の摘み部１２Ｅの下端の幅と略等しくなっている。
なお、本実施形態では、排水栓２４の係合穴２４Ｆが形成された突出部２４Ｇと、ヘアキャッチャ１２の摘み部１２Ｅが排水栓２４を排水口６に装着する際に、排水栓２４の位置を規制する規制手段として機能する。
【００３７】
次に、本実施形態の洗面化粧台において、排水栓２４を排水口６に取り付けて止水する方法を説明する。図９は、本発明の第２実施形態による洗面化粧台において、排水栓２４を排水口６に取り付けて止水する方法を説明するための図である。
まず、図９（Ａ）に示すように、排水栓２４を手に持って、ヘアキャッチャ１２の摘み部１２Ｅの上端が、排水栓２４の突出部２４Ｇに形成された係合穴２４Ｆ内に位置するように配置する。次に、ヘアキャッチャ１２の摘み部１２Ｅの側面が、排水栓２４の突出部２４Ｇに形成された係合穴２４Ｆの内周面と当接した状態を保ちながら、図９（Ｂ）に示すように、排水栓２４を円筒部２４Ｃの周囲に取り付けられたシール部材２４Ｄが洗面ボウル８の内面と当接するまで下方に向かって押し込む。この際、ヘアキャッチャ１２の摘み部１２Ｅの側面が、排水栓２４の突出部２４Ｇに形成された係合穴２４Ｆの内周面と当接することにより、排水栓２４がヘアキャッチャ１２の取り付けられた排水口６に対して所定の位置に案内され、排水栓２４のシール部材２４Ｄが確実に傾斜面１０の所定の位置に案内される。このため、シール部材２４Ｄの全周が洗面ボウル８の傾斜面１０と密着し、確実に排水口６を止水することができる。
【００３８】
以上説明したように、本実施形態によれば、排水栓２４の下部の突出部２４Ｇに形成された係合穴２４Ｆの内周面と、排水口６に取り付けられたヘアキャッチャ１２の摘み部１２Ｅとが当接することにより、排水栓２４が排水口６に対して所定の位置に案内される。これにより、排水栓２４が傾くことなく、シール部２４Ｄを確実に洗面ボウル８と密着させることができ、確実に排水口６を止水することができる。
【００３９】
また、通常、ヘアキャッチャ１２には摘み部１２Ｅが設けられているため、排水栓２４に下方に開口する係合穴２４Ｆを形成するのみでよいため、簡単な構成で排水栓２４を所定の位置に配置することができ、製造コストを抑えることができる。
【００４０】
また、ヘアキャッチャ１２の摘み部１２Ｅを目安として排水栓２４を装着できるため、容易に排水栓２４を装着できる。
【００４１】
また、ヘアキャッチャ１２の摘み部１２Ｅの側面が上方に向かって幅が狭くなるように傾斜し、かつ、排水栓２４に形成された係合穴２４Ｆが下方に向かって幅が広がるような円錐台形状を呈していることにより、初めに排水栓２４を配置した際に、排水栓２４の位置が多少ずれていても、摘み部１２Ｅの側面及び係合穴２４Ｆの内周面がガイド面として機能するため、排水栓２４が所定の位置に案内される。
【００４２】
なお、本実施形態では、ヘアキャッチャ１２の摘み部１２Ｅの側面が上方に向かって幅が狭くなるように傾斜し、かつ、排水栓２４に形成された係合穴２４Ｆが下方に向かって幅が広がるような円錐台形状を呈している場合について説明したが、本発明はこれに限られない。
【００４３】
ヘアキャッチャ１２の摘み部１２Ｅの側面が上方に向かって幅が狭くなるように傾斜していれば、排水栓２４に形成された下方に向かって開口する係合穴２４Ｆが上下に亘って略一定の直径を有していても、排水栓２４は所定の位置に案内される。
【００４４】
また、ヘアキャッチャ１２の摘み部１２Ｅの側面が傾斜していなくても、排水栓２４に形成された下方に向かって開口する係合穴２４Ｆが上方から下方に向かって幅が広がるような円錐台形状を呈してば、排水栓２４は所定の位置に案内される。
【符号の説明】
【００４５】
２  洗面化粧台
６  排水口
８  洗面ボウル
１０  傾斜面
１２  ヘアキャッチャ
１２Ａ  周壁部
１２Ｅ  摘み部
１４、２４  排水栓
１４Ａ、２４Ｄ  シール部
１４Ｄ  脚部
２４Ｆ  係合穴
【図２】
0005907471.tif 000002
【図３】
0005907471.tif 000003
【図４】
0005907471.tif 000004
【図５】
0005907471.tif 000005
【図６】
0005907471.tif 000006
【図７】
0005907471.tif 000007
【図８】
0005907471.tif 000008
【図９】
0005907471.tif 000009
【図１】
0005907471.tif 000010